(57)【要約】【課題】搬入や取付の作業負担を軽減するとともに、意匠性に優れ、構造強度を確保したベランダ用間仕切り壁の取付構造等を提供する。【解決手段】間仕切り壁１を下側ユニット７と上側ユニット12とから構成する。窓側縦材３、９はベランダの窓側壁面に対しガイドレール13によって支持され、手摺り側縦材２、８は、下側ユニット７の手摺り側縦材２がブラケット14によって手摺り支柱ＨＰに固定されるとともに、室外側面に部材長手方向に沿って形成された連結用溝部２ｂ、８ｂが下側ユニット７及び上側ユニット12間に亘って連続しており、部材長手方向に沿って手摺り側縦材に向けて突出して形成される連結用突部15ａを連結用溝部２ｂ、８ｂに挿入させて取り付けられる連結部材15を少なくとも下側ユニット７及び上側ユニット12の接続部に跨るように配設し、連結部材15の下端側をブラケット14に固定するとともに、その上端側をベランダ天井面ＢＣに固定する。【選択図】図１
2011174270.tif 000002
【特許請求の範囲】
【請求項１】
ベランダのほぼ床面から天井面にかけて設けられるベランダ用間仕切り壁の取付構造であって、
前記間仕切り壁は、両側部の縦材と上下部の横材とによって四周が枠組みされた枠組内部にパネルが配置された下側ユニットと、この上段に取り付けられるとともに、両側部の縦材と上下部の横材とによって四周が枠組みされた枠組内部にパネルが配置された上側ユニットとから構成され、
前記下側ユニット及び上側ユニットのベランダ窓側において、窓側縦材はベランダの窓側壁面に対し縦方向配置で固設されたガイドレールによって支持され、
前記下側ユニット及び上側ユニットのベランダ手摺り側において、手摺り側縦材は、前記下側ユニットの手摺り側縦材がブラケットによって手摺り支柱に固定されるとともに、室外側面に部材長手方向に沿って形成された連結用溝部が前記下側ユニット及び上側ユニット間に亘って連続しており、部材長手方向に沿って手摺り側縦材に向けて突出して形成される連結用突部を前記連結用溝部に挿入させて取り付けられる連結部材を少なくとも前記下側ユニット及び上側ユニットの接続部に跨るように配設し、前記連結部材の下端側を前記ブラケットに固定するとともに、その上端側をベランダ天井面に固定したことを特徴とするベランダ用間仕切り壁の取付構造。
【請求項２】
前記ガイドレールは、前記下側ユニット及び上側ユニットの窓側縦材の高さ方向全長に亘って設けられるとともに、前記窓側縦材を嵌入する呑込み溝が形成され、この呑込み溝に前記窓側縦材を嵌入させた状態でこれらを貫通するボルトによって固定されている請求項１記載のベランダ用間仕切り壁の取付構造。
【請求項３】
前記ブラケットは、手摺り支柱に固定される固定側ブラケットとこの固定側ブラケットに係合して取り付けられる係合側ブラケットとから構成され、
前記固定側ブラケットは、手摺り支柱を嵌入する呑込み溝が形成されるとともに、この呑込み溝の一方がわ側面から溝対向面側に延在して一方側固定片が備えられ、
前記係合側ブラケットは、前記固定側ブラケットの呑込み溝底面の溝対向面側に係合して取り付けられる係合部が備えられるとともに、この係合部の先端部から連続して前記呑込み溝の他方がわ側面の溝対向面側に延在するように他方側固定片が備えられ、
前記固定側ブラケットに係合側ブラケットを係合させ、前記一方側固定片と他方側固定片とによって形成される空間内に前記手摺り側縦材を嵌入させた状態でこれらを貫通するボルトによって前記手摺り側縦材を固定されている請求項１〜２いずれかに記載のベランダ用間仕切り壁の取付構造。
【請求項４】
請求項１〜３いずれかに記載のベランダ用間仕切り壁の取付構造のためのベランダ用間仕切り壁であって、
前記下側ユニットの上横材には、部材長手方向に沿って上側に突出する突部が設けられるとともに、前記上側ユニットの下横材には、部材長手方向に沿って前記上横材の突部を挿入する溝部が設けられ、
前記下側ユニット及び上側ユニットの手摺り側縦材の室外側面には、部材長手方向に沿って連結用溝部が形成されていることを特徴とするベランダ用間仕切り壁。
【請求項５】
請求項１〜３いずれかに記載のベランダ用間仕切り壁の取付構造のための取付方法であって、
前記ガイドレールをベランダの窓側壁面に対し縦方向配置で固設する第１ステップと、
前記下側ユニットの窓側縦材を前記ガイドレールに支持させるとともに、手摺り側縦材を前記ブラケットによって手摺り支柱に固定する第２ステップと、
前記上側ユニットを前記下側ユニットの上段に取り付けるとともに、窓側縦材を前記ガイドレールに支持させる第３ステップと、
前記連結部材を前記下側ユニット及び上側ユニットの接続部に跨って前記手摺り側縦材に取り付けるとともに、この連結部材の下端側を前記ブラケットに固定し、上端側をベランダ天井面に固定する第４ステップとからなることを特徴とするベランダ用間仕切り壁の取付方法。
【発明の詳細な説明】
【技術分野】
【０００１】
本発明は、集合住宅の同一階を複数戸に跨って連続的に設けられるベランダを各戸毎に仕切るため、ベランダのほぼ床面から天井面にかけて設けられる間仕切り壁をベランダに取り付けるベランダ用間仕切り壁の取付構造、そのためのベランダ用間仕切り壁及び取付方法に関する。
【背景技術】
【０００２】
従来より、ベランダの間仕切り壁５０として、図１３に示されるように、両側部の縦材５１、５１と上下部の横材５２、５２とによって四周が枠組みされた枠組内部に、高さ方向の中間部に横桟５３が配置されるとともにその上下にパネル５４、５４が配置されることにより、正面視略「日」の字状に形成されたものが知られている。かかる間仕切り壁５０は、ベランダ床面より所定の隙間を空けた位置から、高さ約１８００mm程度で設けられるものが一般的である。ところが、１８００mm程度の高さでは、その上方のベランダ天井面までの間に広い空間Ｍが形成されるため、この空間Ｍを通じて、隣戸からの覗き見等のプライバシー上の問題や、侵入等の防犯上の問題などが懸念されていた。
【０００３】
一方、下記特許文献１には、縦枠の窓側躯体への固定構造として、中空体からなる縦枠を窓側躯体にアンカーボルトで固着された断面Ｌ形のブラケットにビスで取り付けたものが開示されている。
【先行技術文献】
【特許文献】
【０００４】
【特許文献１】特開平１１−１００８９５号公報
【発明の概要】
【発明が解決しようとする課題】
【０００５】
上述のようなパーティション上部に形成される広い空間Ｍによるプライバシーや防犯といった問題を解決するためには、この上部空間Ｍまで延在して間仕切り壁を高く形成する対策が考えられる。例えば、両側部の縦材を前記空間まで延在させ、その上端部に更に横桟を配置し、この枠組内部にパネルを配置して、正面視略「目」の字状としたものなどである（この外観としては例えば図１を参照）。ところが、この場合には、間仕切り壁の構造強度を確保するなどの観点から、高さ方向に亘って一体的に形成する必要があった。このようにベランダのほぼ床面から天井面にかけて一体的な間仕切り壁とした場合には、間仕切り壁が大型化し、搬入や取付に手間がかかるという問題があった。
【０００６】
一方、このような間仕切り壁の固定構造として、上記特許文献１記載の取付構造では、間仕切り壁の縦枠を窓側躯体に断面Ｌ形のブラケットにより固定しているため、このブラケットにより外観が悪化し、意匠性が損なわれる場合があった。
【０００７】
また従来より、間仕切り壁をベランダ手摺り側に固定する取付構造としては、図１４に示されるように、手摺り支柱６０の窓側面６０ａに対し断面Ｌ形の固定金具６１の一辺６１ａを固定し、他辺６１ｂを窓側に突出させた状態で取り付けておき、この突出した他辺６１ｂに対し間仕切り壁縦枠６２の一方側面６２ａを固定し、その他方側面６２ｂに目隠し用の平板６３を固定するという構造が採られていた。しかしながら、かかる固定構造では、間仕切り壁は専らＬ形の固定金具６１のみで支持され、前記目隠し用の平板６３は強度上何ら貢献していないため、構造強度という点で問題があった。
【０００８】
そこで本発明の主たる課題は、搬入や取付の作業負担を軽減するとともに、意匠性に優れ、構造強度を確保したベランダ用間仕切り壁の取付構造、そのためのベランダ用間仕切り壁及び取付方法を提供することにある。
【課題を解決するための手段】
【０００９】
上記課題を解決するために請求項１に係る本発明として、ベランダのほぼ床面から天井面にかけて設けられるベランダ用間仕切り壁の取付構造であって、
前記間仕切り壁は、両側部の縦材と上下部の横材とによって四周が枠組みされた枠組内部にパネルが配置された下側ユニットと、この上段に取り付けられるとともに、両側部の縦材と上下部の横材とによって四周が枠組みされた枠組内部にパネルが配置された上側ユニットとから構成され、
前記下側ユニット及び上側ユニットのベランダ窓側において、窓側縦材はベランダの窓側壁面に対し縦方向配置で固設されたガイドレールによって支持され、
前記下側ユニット及び上側ユニットのベランダ手摺り側において、手摺り側縦材は、前記下側ユニットの手摺り側縦材がブラケットによって手摺り支柱に固定されるとともに、室外側面に部材長手方向に沿って形成された連結用溝部が前記下側ユニット及び上側ユニット間に亘って連続しており、部材長手方向に沿って手摺り側縦材に向けて突出して形成される連結用突部を前記連結用溝部に挿入させて取り付けられる連結部材を少なくとも前記下側ユニット及び上側ユニットの接続部に跨るように配設し、前記連結部材の下端側を前記ブラケットに固定するとともに、その上端側をベランダ天井面に固定したことを特徴とするベランダ用間仕切り壁の取付構造が提供される。
【００１０】
上記請求項１記載の発明では、ベランダのほぼ床面から天井面にかけて設けられる間仕切り壁について、従来のように高さ方向に亘って一体構造としたものではなく、両側部の縦材と上下部の横材とによって四周が枠組みされた枠組内部にパネルが配置された下側ユニットと、この上段に取り付けられるとともに、両側部の縦材と上下部の横材とによって四周が枠組みされた枠組内部にパネルが配置された上側ユニットとから構成するようにしたものである。このように下側ユニットと上側ユニットとに分割した分割構造としてあるため、間仕切り壁の搬入及び取付の作業負担が軽減できるようになる。
【００１１】
かかる間仕切り壁の取付けは、前記下側ユニット及び上側ユニットのベランダ窓側において、窓側縦材をベランダの窓側壁面に対し縦方向配置で固設されたガイドレールによって支持する。一方、前記下側ユニット及び上側ユニットのベランダ手摺り側において、前記下側ユニットの手摺り側縦材をブラケットによって手摺り支柱に固定する。また、手摺り側縦材は室外側面に部材長手方向に沿って形成された連結用溝部が前記下側ユニット及び上側ユニット間に亘って連続しており、部材長手方向に沿って手摺り側縦材に向けて突出して形成される連結用突部を前記連結用溝部に挿入させて取り付けられる連結部材を少なくとも前記下側ユニット及び上側ユニットの接続部に跨るように配設する。そして、前記連結部材の下端部を前記ブラケットに固定するとともに、その上端側をベランダ天井面に固定する。
【００１２】
このように、間仕切り壁が下側ユニットと上側ユニットとに分割された分割構造であっても、窓側縦材は窓側壁面に対し縦方向配置で固設されたガイドレールによって支持され、手摺り側縦材は各ユニットの接続部に跨るように配設される連結部材によって前記ブラケット（このブラケットは手摺り支柱に固定されている。）及びベランダ天井面に固定されているため、下側ユニット及び上側ユニットが一体的にベランダ躯体に取り付けられるようになり、間仕切り壁の構造強度が確保されるようになる。
【００１３】
請求項２に係る本発明として、前記ガイドレールは、前記下側ユニット及び上側ユニットの窓側縦材の高さ方向全長に亘って設けられるとともに、前記窓側縦材を嵌入する呑込み溝が形成され、この呑込み溝に前記窓側縦材を嵌入させた状態でこれらを貫通するボルトによって固定されている請求項１記載のベランダ用間仕切り壁の取付構造が提供される。
【００１４】
上記請求項２記載の発明は、ベランダ窓側において窓側縦材を窓側壁面に支持するガイドレールの具体的な構造について規定したものである。このガイドレールは、間仕切り壁の構造強度や意匠性などの点から、下側ユニット及び上側ユニットの窓側縦材の高さ方向全長に亘って設けられることが好ましく、このガイドレールに窓側縦材を固定する構造としては、意匠性や窓側壁面との隙間を無くすなどの点から、ガイドレールに窓側縦材を嵌入する呑込み溝を形成し、この呑込み溝に窓側縦材を嵌入させた状態でこれらを貫通するボルトによって固定する構造とすることが好ましい。
【００１５】
請求項３に係る本発明として、前記ブラケットは、手摺り支柱に固定される固定側ブラケットとこの固定側ブラケットに係合して取り付けられる係合側ブラケットとから構成され、
前記固定側ブラケットは、手摺り支柱を嵌入する呑込み溝が形成されるとともに、この呑込み溝の一方がわ側面から溝対向面側に延在して一方側固定片が備えられ、
前記係合側ブラケットは、前記固定側ブラケットの呑込み溝底面の溝対向面側に係合して取り付けられる係合部が備えられるとともに、この係合部の先端部から連続して前記呑込み溝の他方がわ側面の溝対向面側に延在するように他方側固定片が備えられ、
前記固定側ブラケットに係合側ブラケットを係合させ、前記一方側固定片と他方側固定片とによって形成される空間内に前記手摺り側縦材を嵌入させた状態でこれらを貫通するボルトによって前記手摺り側縦材を固定されている請求項１〜２いずれかに記載のベランダ用間仕切り壁の取付構造が提供される。
【００１６】
上記請求項３記載の発明は、図１４に示される従来の手摺り支柱への取付構造を改善したものであり、ブラケットを手摺り支柱に固定される固定側ブラケットとこの固定側ブラケットに係合して取り付けられる係合側ブラケットとから構成し、固定側ブラケットには、手摺り支柱を嵌入する呑込み溝を形成するとともに、この呑込み溝の一方がわ側面から溝対向面側に延在して一方側固定片を備え、係合側ブラケットには、前記固定側ブラケットの呑込み溝底面の溝対向面側に係合して取り付けられる係合部を備えるとともに、この係合部の先端部から連続して前記呑込み溝の他方がわ側面の溝対向面側に延在するように他方側固定片を備えるようにしてある。そして、かかるブラケットによる手摺り側縦材の固定構造としては、前記固定側ブラケットに係合側ブラケットを係合させ、前記一方側固定片と他方側固定片とによって形成される空間内に前記手摺り側縦材を嵌入させた状態でこれらを貫通するボルトによって前記手摺り側縦材が固定される構造としたものである。このため、固定側ブラケットはもちろんのこと、この固定側ブラケットに係合させてある係合側ブラケットも間仕切り壁の強度確保に貢献するため、間仕切り壁の構造強度をより高く維持することができる。
【００１７】
請求項４に係る本発明として、請求項１〜３いずれかに記載のベランダ用間仕切り壁の取付構造のためのベランダ用間仕切り壁であって、
前記下側ユニットの上横材には、部材長手方向に沿って上側に突出する突部が設けられるとともに、前記上側ユニットの下横材には、部材長手方向に沿って前記上横材の突部を挿入する溝部が設けられ、
前記下側ユニット及び上側ユニットの手摺り側縦材の室外側面には、部材長手方向に沿って連結用溝部が形成されていることを特徴とするベランダ用間仕切り壁が提供される。
【００１８】
上記請求項４記載の発明では、下側ユニットの上横材に部材長手方向に沿って上側に突出する突部を設けるとともに、前記上側ユニットの下横材に部材長手方向に沿って前記上横材の突部を挿入する溝部を形成することにより、下側ユニットの上段に上側ユニットを組み立てた状態で、前記突部に溝部が挿入され、間仕切り壁の構造強度が向上するとともに、意匠性に優れるようになる。
【００１９】
請求項５に係る本発明として、請求項１〜３いずれかに記載のベランダ用間仕切り壁の取付構造のための取付方法であって、
前記ガイドレールをベランダの窓側壁面に対し縦方向配置で固設する第１ステップと、
前記下側ユニットの窓側縦材を前記ガイドレールに支持させるとともに、手摺り側縦材を前記ブラケットによって手摺り支柱に固定する第２ステップと、
前記上側ユニットを前記下側ユニットの上段に取り付けるとともに、窓側縦材を前記ガイドレールに支持させる第３ステップと、
前記連結部材を前記下側ユニット及び上側ユニットの接続部に跨って前記手摺り側縦材に取り付けるとともに、この連結部材の下端側を前記ブラケットに固定し、上端側をベランダ天井面に固定する第４ステップとからなることを特徴とするベランダ用間仕切り壁の取付方法が提供される。
【００２０】
上記請求項５記載の発明は、ベランダ用間仕切り壁の取付構造のための取付方法について規定したものであり、下側ユニットを固定した後（第２ステップ）、上側ユニットを固定し（第３ステップ）、両者の手摺り側縦材を連結する連結部材を取り付ける（第４ステップ）ようにしたものである。これにより、搬入や取付の作業性が容易となる。
【発明の効果】
【００２１】
以上詳説のとおり本発明によれば、搬入や取付の作業負担を軽減することができるとともに、意匠性に優れ、構造強度が確保できるようになる。
【図面の簡単な説明】
【００２２】
【図１】本発明に係る間仕切り壁１の正面図である。
【図２】そのII−II線矢視図である。
【図３】下側ユニット７と上側ユニット１２との接続要領を示す斜視図である。
【図４】(A)は手摺り側縦材２、８の要部拡大図、(B)はそのＢ−Ｂ線矢視図である。
【図５】(A)は手摺り側からの側面図、(B)は手摺り側縦材２、８の正面図である。
【図６】ブラケット１４の取付状態を示す斜視図である。
【図７】固定側ブラケット１６を示す(A)は上面図、(B)は正面図である。
【図８】係合側ブラケット１７を示す(A)は上面図、(B)は正面図である。
【図９】他の形態に係る固定側ブラケット１６を示す(A)は上面図、(B)は正面図である。
【図１０】他の形態に係る係合側ブラケット１７を示す(A)は上面図、(B)は正面図である。
【図１１】連結部材１５の上端部を示す斜視図である。
【図１２】Ｌ形金具１８を示す(A)は正面図、(B)は側面図、(C)は下面図である。
【図１３】従来の間仕切り壁５０の正面図である。
【図１４】従来の手摺り支柱への取付構造を示す横断面図である。
【発明を実施するための形態】
【００２３】
以下、本発明の実施の形態について図面を参照しながら詳述する。
本発明に係る間仕切り壁１は、図１に示されるように、集合住宅の同一階を複数戸に跨って連続的に設けられ、ベランダ床面ＢＦ、ベランダ天井面ＢＣ及び窓側壁面ＢＷによって囲まれ、室外側に手摺りＨが立設されたベランダを各戸毎に仕切るためのものである。本間仕切り壁１では特に、上下のベランダ天井面ＢＣ及びベランダ床面ＢＦとの間に人が通れる隙間の無い程度にベランダのほぼ床面から天井面にかけて設けられ、両側の縦材と上下部の横材とによって四周が枠組みされた枠組内部に二本の横桟とパネルとが配置され、正面視略「目」の字状に形成されている。
【００２４】
具体的に、前記間仕切り壁１は、図１及び図２に示されるように、両側部の縦材２、３と上下部の横材４、５とによって四周が枠組みされた枠組内部に横桟６とパネルＰａ、Ｐｂとが配置された下側ユニット７と、この上段に取り付けられるとともに、両側部の縦材８、９と上下部の横材１０、１１とによって四周が枠組みされた枠組内部にパネルＰｃが配置された上側ユニット１２とから構成されている。即ち、正面視略「目」の字状に形成された二本の横桟の内、上段の横桟は上下に分割可能な分割横桟とされ、そのうち上側横桟は上側ユニット１２の下横材１１を構成し、下側横桟は下側ユニット７の上横材４を構成する。
【００２５】
前記下側ユニット７及び上側ユニット１２の縦材２、３、８、９はそれぞれ、押出し成型されたアルミ形材とされ、内方側には部材長手方向に沿って形成された内方側に開口溝を向けた断面略コ字状のパネル嵌合溝部を備えている（例えば図２に示されるパネル嵌合溝部２ａ、３ａ参照）。また、各ユニット７、１２のベランダ手摺りＨ側に位置する手摺り側縦材２、８の室外側面にはそれぞれ、部材長手方向に沿って連続形成され、外方側に開口溝を向けた断面略コ字状の連結用溝部２ｂ、８ｂを備えている（図２及び図１１参照）。
【００２６】
前記下側ユニット７及び上側ユニット１２の上横材４、１０及び下横材５、１１は、同じく押出し成型されたアルミ形材とされ、部材長手方向に沿って形成された内方側に開口溝を向けた断面略コ字状のパネル嵌合溝部を備えている。また、その両端部にはそれぞれ組立用ビスポケットが設けられている。
【００２７】
図３及び図４に示されるように、前記下側ユニット７の上横材４には、部材長手方向に沿って上側に突出する突部４ａが設けられている。また、前記上側ユニット１２の下横材１１には、部材長手方向に沿って下側に開口溝を向け、前記下側ユニット７の上横材４に設けられた突部４ａを挿入する溝部１１ａが設けられている。
【００２８】
前記下側ユニット７の横桟６は、同じく押出し成型されたアルミ形材とされ、部材長手方向に沿って形成された上下側にそれぞれ開口溝を向けた断面略コ字状のパネル嵌合溝部を備えている。また、その両端部の断面内にはそれぞれ組立用ビスポケットが設けられている。
【００２９】
前記下側ユニット７は、縦材２、３及び横材４、５によって四周が枠組みされるとともにその中間に横桟６が組み込まれ、この横桟６の上下にパネル嵌合溝が周方向に沿って連続形成され、このパネル嵌合溝にグレチャンＰＧが嵌合されるとともに、このグレチャンＰＧによって上パネルＰａ及び下パネルＰｂが嵌合支持され構成されている。
【００３０】
また、前記上側ユニット１２は、縦材８、９及び横材１０、１１によって四周が枠組みされ、前記パネル嵌合溝が周方向に沿って連続形成され、このパネル嵌合溝にグレチャンＰＧが嵌合されるとともに、このグレチャンＰＧによってパネルＰｃが嵌合支持され構成されている。なお、上側ユニット１２の手摺り側縦材８は、図１に示される例では、上横材１０よりも若干上側に突出して設けられている。
【００３１】
なお、前記下側ユニット７及び上側ユニット１２はそれぞれ、基本的には工場製作され現場に搬入される。
【００３２】
前記下側ユニット７と上側ユニット１２とは、図３及び図４に示されるように、下側ユニット７の上横材４に設けられた突部４ａに、上側ユニットの下横材１１に設けられた溝部１１ａを挿入させることによって接合される。これにより、前記上横材４及び下横材１１が一体的な横桟として機能するようになる。前記上側ユニット１２の溝部１１ａの両側面にはそれぞれ、内側に突出する位置決め用突出片１１ｂ、１１ｂが備えられるとともに、下側ユニット７の上横材４の両側にはそれぞれ、上側に突出する位置決め用突出片４ｂ、４ｂが備えられ、下横材１１に上横材４を挿入した状態では、図４(B)に示されるように、位置決め用突出片１１ｂ、１１ｂが上横材４の突部４ａの側面に係合するとともに、位置決め用突出片４ｂ、４ｂが下横材１１の下端縁内側に係合する。
【００３３】
また、下側ユニット７の上段に上側ユニット１２が取り付けられた状態で、各ユニットのベランダ手摺りＨ側に位置する手摺り側縦材２、８及び各ユニットのベランダ窓側に位置する窓側縦材３、９がそれぞれ隙間無く設けられるようにするため、下側ユニット７の手摺り側縦材２及び窓側縦材３の上端を上横材４の突部４ａの上端部まで形成するとともに、上側ユニット１２の手摺り側縦材８及び窓側縦材９の下端を下横材１１の高さ方向の中間位置まで形成する。
【００３４】
上記間仕切り壁１は、下側ユニット７及び上側ユニット１２のベランダ窓側において、窓側縦材３、９がベランダの窓側壁面ＢＷに対し縦方向配置で固設されたガイドレール１３によって支持されている。また、下側ユニット７及び上側ユニット１２のベランダ手摺り側において、手摺り側縦材２、８は、下側ユニット７の手摺り側縦材２がブラケット１４によって手摺り支柱ＨＰに固定されるとともに、手摺り側縦材２、８が少なくとも下側ユニット７及び上側ユニット１２の接続部に跨るように配設される連結部材１５によって前記ブラケット１４及びベランダ天井面ＢＣに固定されている。
【００３５】
前記ガイドレール１３は、下側ユニット７及び上側ユニット１２の窓側縦材３、９の高さ方向全長に亘って設けられるとともに、窓側縦材３、９を嵌入する呑込み溝１３ａが形成され断面略コ字状に形成されるものである。このガイドレール１３は、窓側壁面ＢＷに所定の間隔で設けられたアンカーボルト１３ｃに対し、呑込み溝１３ａ底面に形成される開孔１３ｄを挿入してナット１３ｅによって固定されている。前記ガイドレール１３は、前記呑込み溝１３ａに窓側縦材３、９を嵌入させた状態で、これらガイドレール１３及び窓側縦材３、９を貫通するボルト・ナット１３ｂ、１３ｂ…によって複数箇所で固定される構造としてある。前記ガイドレール１３は、窓側縦材３、９の高さ方向全長に亘って設けられるため、窓側縦材３、９の接続部が補強されるとともに、窓側縦材３、９と窓側壁面ＢＷとの間の隙間を閉塞するとともに、窓側縦材３、９の接続部を隠匿して意匠性に優れるようになる。
【００３６】
一方、前記下側ユニット７の手摺り側縦材２を手摺り支柱ＨＰに固定するブラケット１４は、図１に示されるように、手摺り支柱ＨＰの上部及び下部の２箇所以上で固定されることが好ましい。図１に示される例では、上部ブラケット１４Ａと下部ブラケット１４Ｂの２箇所で固定されている。
【００３７】
前記ブラケット１４は、図２及び図５〜図１０に示されるように、手摺り支柱ＨＰに固定される固定側ブラケット１６と、この固定側ブラケット１６に係合して取り付けられる係合側ブラケット１７とから構成されている。
【００３８】
前記固定側ブラケット１６は、図７(A)に示されるように、手摺り支柱ＨＰを嵌入する呑込み溝１６ａが形成されるとともに、この呑込み溝１６ａの一方がわ側面から溝対向面側に延在して一方側固定片１６ｂが備えられている。また、前記呑込み溝１６ａ底面の溝対向面側には、前記一方側固定片１６ｂの基端部から第１係合片１６ｃが突設されるとともに、前記呑込み溝１６ａの他方がわ側面から溝対向面側に延在させその先端部を屈折させた第２係合片１６ｄが設けられている。また、前記固定側ブラケット１６の呑込み溝１６ａ両側面には、手摺り支柱ＨＰに取付ビス１４ｂ…によって固定するためのビス孔１６ｆ、１６ｆ…が形成されている。さらに、前記固定側ブラケット１６及び係合側ブラケット１７にはそれぞれ、前記ボルト・ナット１４ａを貫通させるための開孔１６ｅ、１７ｅが形成されている。
【００３９】
前記係合側ブラケット１７は、前記固定側ブラケット１６の第１係合片１６ｃ及び第２係合片１６ｄにそれぞれ係合する第１係合片１７ｂ及び第２係合片１７ｃが備えられた係合部１７ａと、この係合部１７ａの先端部から連続して前記呑込み溝１６ａの他方がわ側面の溝対向面側に延在して設けられる他方側固定片１７ｄとによって略Ｌ字形に形成されている。
【００４０】
前記ブラケット１４は、前記固定側ブラケット１６を手摺り支柱ＨＰに固定した後、この固定側ブラケット１６の係合片１６ｃ、１６ｄと係合側ブラケット１７の係合片１７ｂ、１７ｃとをそれぞれ係合させた状態で、固定側ブラケット１６の上方側から係合側ブラケット１７を下方にスライドさせるようにして組み立てる。
【００４１】
前記一方側固定片１６ｂと他方側固定片１７ｄとで挟まれた空間Ｎ内には、前記下側ユニット７の手摺り側縦材２が嵌入される。この手摺り側縦材２は、前記空間Ｎ内に嵌入させた状態で、これらを貫通するボルト・ナット１４ａによって手摺りＨに固定されている。
【００４２】
なお、図１に示される例では前記ブラケット１４は手摺り上部及び下部の２箇所に設けられているが、手摺り支柱ＨＰの上部から下部に亘って連続形成されるようにしてもよい。これにより、間仕切り壁１の取付強度が増すとともに、間仕切り壁１と手摺りＨとの隙間を閉塞することができるようになる。
【００４３】
前記固定側ブラケット１６及び係合側ブラケット１７の一方側固定片１６ｂ及び他方側固定片１７ｄにはそれぞれ、図９及び図１０に示されるように、後段で詳述する連結部材１５を固定するためのビス孔１６ｇ、１７ｆを設けることができる。
【００４４】
前記連結部材１５は、押出し成型されたアルミ形材とされ、部材長手方向に沿って手摺り側縦材２、８に向けて突出して形成される連結用突部１５ａを備えている。前記連結部材１５は、前記連結用突部１５ａを前記手摺り側縦材２、８の室外側面に部材長手方向に沿うとともに下側ユニット７及び上側ユニット１２間に亘って連続形成された連結用溝部２ｂ、８ｂ（図２及び図１１参照）に挿入させて、少なくとも下側ユニット７及び上側ユニット１２の接続部に跨るように配設される。これにより、各ユニットの手摺り側縦材２、８が連結されるようになる。
【００４５】
この連結部材１５の上端部には、図４、図５及び図１１に示されるように、Ｌ形金具１８が一辺を上側に突出させた状態でボルト・ナット１８ａによって固定されている。この突出したＬ形金具１８の一辺は、ベランダ天井面にＢＣに予め設置されたアンカーボルト１８ｂに固定される。他方、連結部材１５の下端部は、図５及び図６に示されるように、前記ブラケット１４の空間Ｎ内に挿入されるとともに、ブラケット１４の両側からビス１５ｂ、１５ｂによって固定されている。なお、図１に示される例では、連結部材１５の下端側が上部ブラケット１４Ａに固定されているが、連結部材１５の下端側は下側ユニット７及び上側ユニット１２の接続部より下部側に固定されていればよく、下部ブラケット１４Ｂに固定してもよい。
【００４６】
前記Ｌ形金具１８は、図１２に示されるように、各辺にそれぞれ連結部材１５への固定用のボルト１８ａを挿通するための開孔１８ｃ、天井面ＢＣのアンカーボルト１８ｂを挿通するための開孔１８ｄが形成されている。
【００４７】
次に、前記間仕切り壁１の取付方法について説明すると、第１ステップとして、ガイドレール１３をベランダの窓側壁面ＢＷに対し縦方向配置で固設しておく。
【００４８】
第２ステップとして、下側ユニット７の窓側縦材３を前記ガイドレール１３に支持させるとともに、手摺り側縦材２をブラケット１４によって手摺り支柱ＨＰに固定する。
【００４９】
第３ステップとして、この固定した下側ユニット７の上段に、上横材４の突部４ａに下横材１１の溝部１１ａを挿入させながら上側ユニット１２を取り付けるとともに、窓側縦材９を前記ガイドレール１３に支持させる。
【００５０】
第４ステップとして、前記連結部材１５を下側ユニット７及び上側ユニット１２の手摺り側縦材２、８の接続部に跨って取り付けるとともに、この連結部材１５の下端側を前記ブラケット１４に固定し、上端側をベランダ天井面ＢＣに固定する。以上の手順によって間仕切り壁１の取付けが完了する。
【符号の説明】
【００５１】
１…間仕切り壁、２・８…手摺り側縦材、３・９…窓側縦材、４・５・１０・１１…横材、６…横桟、７…下側ユニット、１２…上側ユニット、１３…ガイドレール、１４…ブラケット、１５…連結部材、１６…固定側ブラケット、１７…係合側ブラケット、Ｈ…手摺り、Ｐａ・Ｐｂ・Ｐｃ…パネル
【図１】
2011174270.tif 000003
【図２】
2011174270.tif 000004
【図３】
2011174270.tif 000005
【図４】
2011174270.tif 000006
【図５】
2011174270.tif 000007
【図６】
2011174270.tif 000008
【図７】
2011174270.tif 000009
【図８】
2011174270.tif 000010
【図９】
2011174270.tif 000011
【図１０】
2011174270.tif 000012
【図１１】
2011174270.tif 000013
【図１２】
2011174270.tif 000014
【図１３】
2011174270.tif 000015
【図１４】
2011174270.tif 000016